(57)【特許請求の範囲】
【請求項１】
第１のメッセージ受信部と第１のメッセージ送信部と冗長系との第１の送受信部と第１の制御部とを備えた第１の通信制御部と、第２のメッセージ受信部と第２のメッセージ送信部と冗長系との第２の送受信部と第２の制御部とを備えた第２の通信制御部と、を含む通信制御装置において、
前記第１の通信制御部は、前記第２の通信制御部にデータを転送する際、転送する種別を記録し、予め定めた時間が経過した後に、その転送種別に基づいて前記データを転送することを特徴とする通信制御装置。
【請求項２】
請求項１に記載の通信制御装置であって、
前記第１の通信制御部に転送キューを備え、その転送キューと前記転送種別とに基づいて、前記データを転送することを特徴とする通信制御装置。
【発明の詳細な説明】
【技術分野】
【０００１】
本発明は、通信制御装置に係り、特に冗長構成を備え運用系から予備系にデータを転送する通信制御装置に関する。
【背景技術】
【０００２】
近年、移動機端末の普及が急速に進み、移動機端末を使ったサービスが多様化している。従来、移動機端末は、通話をするものであった。しかし、現在の移動機端末は、音声のみならず、インターネットを介しての情報閲覧やダウンロードなど、大量のパケットを転送する。
【０００３】
ここで、移動機端末を用いる１ｘＥＶＤＯシステムについて図１を参照して説明する。図１において、１ｘＥＶＤＯシステム１０００は、ＩＰネットワーク１００と、ＩＰネットワーク１００に接続されたＡＮ−ＡＡＡ（Access Network-Authentication Authorization Accounting）７００とＰＤＳＮ（Packet Data Service Node）２００とＲＡＮ（Radio Access Network）５００と、ＲＡＮ５００と接続されたｍ台のＡＴ（Access Terminal）６００とから構成される。また、ＲＡＮ５００は、ＰＣＦ−ＳＣ（Packet Call Function Session Control：通信制御装置）３００と、ｎ台のＡＰ（Access Point）４００とから構成される。
【０００４】
ＰＤＳＮ２００は、Ｉｎｔｅｒｎｅｔ側からのパケットの終端を行う。ＰＣＦ−ＳＣ３００は、呼情報管理およびＡＰ４００ならびにＰＤＳＮ２００から受信するパケットの転送を行う。ＡＰ４００は、ＡＴ６００とＲＡＮ５００との無線制御を行う。ＡＮ−ＡＡＡ７００は、ＡＴ６００の認証を行う。ＡＴ６００は、１ｘＥＶＤＯシステム１０００の移動機端末である。
【０００５】
図２を参照して、移動電話システムの動作シーケンスを説明する。図２において、移動機端末６００がパケットを送受信するためには、移動機端末６００は、まずコネクションを確立し（Ｓ２００）、パケットの送信処理（Ｓ２４０）および受信処理（Ｓ２１０）を行う。パケット転送待ち状態にする場合は、移動機端末６００は、ステップ２２０の手順に従いＰＤＳＮ２００に対してＤｏｒｍａｎｔ要求を行う。パケット転送を再開したい場合は、移動機端末６００は、ステップ２３０の手順に従い、ＰＤＳＮ２００に対してＡｃｔｉｖｅ要求を行う。パケット転送を終了する場合、移動機端末６００は、ステップ２５０の手順に従いコネクションを切断する。
【０００６】
コネクション処理（Ｓ２００）において、ＡＴ６００は、ＡＰ４００に識別子要求を送信し、ＡＰ４００は、識別子要求をＰＣＦ−ＳＣ３００に送信する。なお、以下の説明ではＡＰ４００を省いて、ＡＴ６００は、ＰＣＦ−ＳＣ３００に識別子要求を送信する（Ｓ２０１）と記載する。なお、下りも同様にＡＰ４００を省いて説明する。識別子要求を受信したＰＣＦ−ＳＣ３００は、認証要求をＡＮ−ＡＡＡ７００に送信する（Ｓ２０２）。ＡＮ−ＡＡＡ７００は、認証結果を認証応答として、ＰＣＦ−ＳＣ３００に送信する（Ｓ２０３）。この場合、認証結果がＯＫなので、ＰＣＦ−ＳＣ３００は、識別子応答をＡＴ６００に送信する（Ｓ２０４）。
【０００７】
識別子応答を受信したＡＴ６００は、接続要求をＰＣＦ−ＳＣ３００に送信する（Ｓ２０５）。ＰＣＦ−ＳＣ３００は、接続要求をＰＤＳＮ２００に送信する（Ｓ２０６）。ＰＤＳＮ２００は、接続応答をＰＣＦ−ＳＣ３００に送信する（Ｓ２０７）。ＰＣＦ−ＳＣ３００は、ＳＢＹ（スタンバイ）への転送キューに登録し（Ｓ２０８）、ＡＴ６００に接続応答を送信する（Ｓ２０９）。
【０００８】
パケット受信処理（Ｓ２１０）において、ＰＤＳＮ２００は、パケットをＰＣＦ−ＳＣ３００に送信する（Ｓ２１１）。ＰＣＦ−ＳＣ３００は、ＳＢＹへの転送キューに登録し（Ｓ２１２）、ＡＴ６００にパケットを送信する（Ｓ２１３）。
【０００９】
パケット転送待ち処理（Ｓ２２０）において、ＡＴ６００は、ＰＣＦ−ＳＣ３００にＤｏｒｍａｎｔ要求を送信する（Ｓ２２１）。ＰＣＦ−ＳＣ３００は、ＰＤＳＮ２００にＤｏｒｍａｎｔ要求を送信する（Ｓ２２２）。ＰＤＳＮ２００は、Ｄｏｒｍａｎｔ応答をＰＣＦ−ＳＣ３００に送信する（Ｓ２２３）。ＰＣＦ−ＳＣ３００は、ＳＢＹへの転送キューに登録し（Ｓ２２４）、ＡＴ６００にＤｏｒｍａｎｔ応答を送信する（Ｓ２２５）。
【００１０】
パケット転送再開処理（Ｓ２３０）において、ＡＴ６００は、ＰＣＦ−ＳＣ３００にＡｃｔｉｖｅ要求を送信する（Ｓ２３１）。ＰＣＦ−ＳＣ３００は、ＰＤＳＮ２００にＡｃｔｉｖｅ要求を送信する（Ｓ２３２）。ＰＤＳＮ２００は、Ａｃｔｉｖｅ応答をＰＣＦ−ＳＣ３００に送信する（Ｓ２３３）。ＰＣＦ−ＳＣ３００は、ＳＢＹへの転送キューに登録し（Ｓ２３４）、ＡＴ６００にＡｃｔｉｖｅ応答を送信する（Ｓ２３５）。
【００１１】
パケット送信処理（Ｓ２４０）において、ＡＴ６００はパケットをＰＣＦ−ＳＣ３００に送信する（Ｓ２４１）。ＰＣＦ−ＳＣ３００は、ＳＢＹへの転送キューに登録し（Ｓ２４２）、ＰＤＳＮ２００にパケットを送信する（Ｓ２４３）。
【００１２】
コネクション切断処理（Ｓ２５０）において、ＡＴ６００は、ＰＣＦ−ＳＣ３００に切断要求を送信する（Ｓ２５１）。ＰＣＦ−ＳＣ３００は、ＰＤＳＮ２００に切断要求を送信する（Ｓ２５２）。ＰＤＳＮ２００は、切断応答をＰＣＦ−ＳＣ３００に送信する（Ｓ２５３）。ＰＣＦ−ＳＣ３００は、ＳＢＹへの転送キューに登録し（Ｓ２５４）、ＡＴ６００に切断応答を送信する（Ｓ２５５）。
【００１３】
一般的にＰＣＦ−ＳＣ３００には複数のＡＰが接続され、そのＡＰそれぞれに複数のＡＴが接続されている。そのため上位装置であるＰＣＦ−ＳＣ３００に障害が発生すると、複数ＡＴでパケットの送受信ができないため、上位装置のＰＣＦ−ＳＣ３００は、運用系と予備系の冗長構成にする必要がある。ここで、図３を参照して、複数のＡＴが接続している移動電話システムの動作シーケンスを説明する。また、図４を参照して、ＰＣＦ−ＳＣの機能ブロックを説明する。さらに、図５を参照して、図３のシーケンスに対応した予備系へのデータコピーを説明する。
【００１４】
図３において、ＰＣＦ−ＳＣ３００には、ＡＴ６００−１、６００−２、６００−(ｍ−１)、６００−ｍが、ＡＰ４００を介して接続されている。このとき、順にＡＴ６００１は、パケット転送再開処理を実施する（Ｓ２３０）。ＡＴ１００−２は、パケット受信処理を実施する（Ｓ２１０）。ＡＴ６００−(ｍ−１)は、パケット送信処理を実施する（Ｓ２４０）。さらに、ＡＴ６００−ｍは、パケット転送待ち処理を実施する（Ｓ２２０）。なお、各処理（Ｓ２３０、Ｓ２１０、Ｓ２４０、Ｓ２２０）の詳細は、図２で説明済みなので省略する。ＰＣＦ−ＳＣ３００は、各処理において、ＳＢＹへの転送キューに登録する（Ｓ３０４、Ｓ３０７、Ｓ３１０、Ｓ３１５）。なお、図３において、ＰＣＦ−ＳＣ３００における現用系から予備系へのデータは、省略している。
【００１５】
図４において、ＰＣＦ−ＳＣ３００は、運用系（ＡＣＴ）カード３１０−１と、予備系（ＳＢＹ）カード３１０−２とから構成されている。運用系カード３１０−１と予備系カード３１０−２は、同一の機能を有するが、図示の簡便のため予備系カード３１０−２の機能ブロックを一部省略している。カード３１０は、対向装置からのメッセージ受信部３１１と、対向装置へのメッセージ送信部３１３と、現用系／予備系からの／への転送送受信部３１３と、制御部３１４と、呼制御テーブル３１５とから構成される。カード３１０は、現用系として使用することもあれば、予備系として使用することもある。転送送受信部３１３は、現用系のときＳＢＹカードへの転送送信部、予備系のときＡＣＴカードからの転送受信部として、機能する。
【００１６】
運用系カード３１０−１の制御部３１４は、メッセージ受信部３１１が受信したパケットを監視して、呼制御テーブル３１５を更新する。また、運用系カード３１０−１の制御部３１４は、転送送受信部３１３の図示しない予備系（ＳＢＹ）への転送キューに登録する。一方、予備系カード３１０−２の制御部３１４は、転送送受信部３１３が受信した情報に基づいて、呼制御テーブル３１５を更新する。
【００１７】
図５において、ＰＣＦ−ＳＣ３００は、運用系カード３１０−１と予備系カード３１０−２とから構成される。カード３１０は、呼制御テーブル３１５と待ちキュー３１３１を持つ。
【００１８】
運用系カード３１０−１の呼制御テーブル３１５−１は、接続したＡＴ６００それぞれに対して、呼制御番号３１５１と呼制御データ３１５２とを割当てる。その後、運用系カード３１０−１は、パケット受信または呼状態変化（接続応答、Ｄｏｒｍａｎｔ応答、Ａｃｔｉｖｅ応答、切断応答）が発生した場合、予備系カード３１０−２への転送待ちキュー３１３１に呼制御番号を登録する。一定時間（２秒）経過すると、運用系カード３１０−１は、待ちキュー３１３１を参照して呼制御番号に対応した呼制御データ３１５２を予備系カード３１０−２に送信する。
予備系カード３１０−２は、受信した呼制御データを呼制御テーブル３１５−２の呼制御データ３１５２に記録する。
【００１９】
具体的には、運用系カード３１０−１の待ちキュー（ＦＩＦＯメモリ）３１３１の先頭から呼制御番号「３」「６」「１」「５」が入っている。また、呼制御テーブル３１５の該当する呼制御番号３１５１に対応する呼制御データ３１５２が記録されている。予め定めたタイミングで、運用系カード３１０−１は、待ちキュー３１３１の先頭から呼制御番号を予備系カード３１０−２の待ちキュー３１３１にコピーする。これと同時に、運用系カード３１０−１の待ちキュー３１３１に記録された呼制御番号に対応する呼制御テーブル３１５の呼制御データ３１５２を、予備系カード３１０−２の呼制御テーブル３１５の対応する呼制御データ３１５２にコピーする。
【００２０】
運用系カード３１０−１から予備系カード３１０−２へ呼制御データ３１５２をコピーすることによって、運用系カード３１０−１に障害が発生した場合、予備系カード３１０−２に切替えることによって処理を継続することができる。
【００２１】
図６を参照して、ＡＴまたはＰＤＳＮから受信した受信パケットの呼制御データの構造を説明する。図６において、ＡＴまたはＰＤＳＮから受信した呼制御データ８００は、シーケンス番号８０１と、非更新領域８０２とから構成される。ここで、シーケンス番号８０１は、受信パケットのシーケンス番号である。一方、非更新領域８０２は、ＡＴの固有識別子、ＰＣＦ−ＳＣがＡＴに割当てる識別子、コネクション確立時に決まるＣｏｎｆｉｇ情報または接続先ＡＰのＩＰアドレス、接続先ＡＰのパケット受信キー、接続先ＡＰのポート番号、接続先ＰＤＳＮのＩＰアドレス、接続先ＰＤＳＮのパケット受信キー、接続先ＰＤＳＮのポート番号等一度呼接続されると値が更新されにくい領域である。シーケンス番号８０１に比べ非更新領域８０２の領域はかなり大きい。
【発明の開示】
【発明が解決しようとする課題】
【００２２】
ＡＴやＰＤＳＮからパケットを受信した時、パケットのシーケンス番号だけでなく、呼制御データ全体をコピーしていた。本来は転送する必要のない非更新領域まで、予備系カードにコピーしていた。
【課題を解決するための手段】
【００２３】
上述した課題は、メッセージ受信部とメッセージ送信部と冗長系との送受信部と制御部とを備えた第１の通信制御部と、メッセージ受信部とメッセージ送信部と冗長系との送受信部と制御部とを備えた第２の通信制御部と、を含む通信制御装置において、第１の通信制御部は、第２の通信制御部にデータを転送する際、転送する種別を記録し、その転送種別に基づいてデータを転送する通信制御装置により、解決することができる。
【発明の効果】
【００２４】
通信制御装置の予備系カードへ転送するデータを最小限に抑えることができる。
【発明を実施するための最良の形態】
【００２５】
以下本発明の実施の形態について、実施例を用い図面を参照しながら説明する。なお、実質同一部位には同じ参照番号を振り、説明は繰り返さない。
【実施例１】
【００２６】
図７を参照して、ＰＣＦ−ＳＣの構成を説明する。図７において、ＰＣＦ−ＳＣ３００は、運用系カード３１０−１と予備系カード３１０−２とから構成される。カード３１０は、呼制御テーブル３１５と待ちキュー３１３１を持つ。運用系カード３１０−１の呼制御テーブル３１５Ａ−１は、接続したＡＴ６００それぞれに対して、呼制御番号３１５１と呼制御データ３１５２と転送種別３１５３とを割当てる。ここで、転送種別３１５３は、パケット受信のとき、Ｓｅｑｕｅｎｃｅであり、一方、呼状態変化（接続応答、Ｄｏｒｍａｎｔ応答、Ａｃｔｉｖｅ応答、切断応答）のとき、Ｃａｌｌとする。
【００２７】
その後、運用系カード３１０−１は、パケット受信または呼状態変化が発生した場合、予備系カード３１０−２への転送待ちキュー３１３１に呼制御番号を登録する。一定時間（２秒）経過すると、運用系カード３１０−１は、待ちキュー３１３１とその呼制御番号の転送種別３１５３を参照して、呼制御番号に対応した呼制御データ３１５２と転送種別３１５３を予備系カード３１０−２に送信する。ここで、運用系カード３１０−１は、呼制御番号に対応する転送種別３１５３が、Ｃａｌｌのとき、呼制御データ全体を送信する。一方、呼制御番号に対応する転送種別３１５３が、Ｓｅｑｕｅｎｃｅのとき、運用系カード３１０−１は、呼制御データのシーケンス番号のみを送信する。
予備系カード３１０−２は、受信した呼制御データと転送種別を呼制御テーブル３１５Ａ−２の呼制御データ３１５２と転送種別３１５３に記録する。
【００２８】
具体的には、運用系カード３１０−１の待ちキュー（ＦＩＦＯメモリ）３１３１の先頭から呼制御番号「３」「６」「１」「５」が入っている。また、呼制御テーブル３１５の該当する呼制御番号３１５１に対応する呼制御データ３１５２が記録されている。予め定めたタイミングで、運用系カード３１０−１は、待ちキュー３１３１の先頭から呼制御番号を予備系カード３１０−２の待ちキュー３１３１にコピーする。これと同時に、運用系カード３１０−１の待ちキュー３１３１に記録された呼制御番号に対応する呼制御テーブル３１５の呼制御データ３１５２と転送種別３１３５を、予備系カード３１０−２の呼制御テーブル３１５の対応する呼制御データ３１５２と転送種別３１３５にコピーする。なお、呼制御データ３１５２のコピー範囲は、転送種別３１５３によって異なることは、説明したとおりである。
【００２９】
運用系カード３１０−１から予備系カード３１０−２へ呼制御データ３１５２をコピーすることによって、運用系カード３１０−１に障害が発生した場合、予備系カード３１０−２に切替えることによって処理を継続することができる。
【００３０】
図８を参照して、運用系カードの動作を説明する。ここで、図８は、運用系カードのフローチャートである。図８において、運用系カード３１０−１は、対向装置からのパケットまたは呼状態変化のメッセージを受信する（Ｓ８０１）。運用系カード３１０−１は、受信パケットまたはメッセージから呼制御番号を抽出する（Ｓ８０２）。運用系カード３１０−１は、抽出した呼制御番号が転送キューに登録されているか判定する（Ｓ８０３）。未登録のとき、運用系カード３１０−１は、イベントを判定する（Ｓ８０４）。パケット受信のとき、運用系カード３１０−１は、呼制御テーブルの転送種別にパケットのシーケンス番号を意味するＳｅｑｕｅｎｃｅを記録する（Ｓ８０６）。次に、運用系カード３１０−１は、呼制御データのシーケンス番号領域を更新し（Ｓ８０７）、転送キューに登録して（Ｓ８０８）、終了する。
【００３１】
ステップ８０４で、呼状態変化のとき、運用系カード３１０−１は、呼制御テーブルの転送種別に呼制御データ全体を意味するＣａｌｌを記録する（Ｓ８０９）。次に、運用系カード３１０−１は、呼制御データの全域を更新し（Ｓ８１１）、ステップ８０８に遷移する。
【００３２】
ステップ８０３で登録済みのとき、運用系カード３１０−１は、イベントを判定する（Ｓ８１２）。パケット受信のとき、運用系カード３１０−１は、呼制御データのシーケンス番号領域を更新し（Ｓ８１３）、終了する。
【００３３】
ステップ８１２で呼状態変化のとき、運用系カード３１０−１は、転送種別がＣａｌｌか判定する（Ｓ８１４）。ＮＯのとき、運用系カード３１０−１は、呼制御テーブルの転送種別をＳｅｑｕｅｎｃｅからＣａｌｌに変更する（Ｓ８１６）。運用系カード３１０−１は、呼制御データの全域を更新して（Ｓ８１７）、終了する。ステップ８１４でＹＥＳのとき、運用系カード３１０−１は、そのままステップ８１７に遷移する。
【００３４】
予備系カードへ転送するデータを最小限に抑える転送方法を、図９および図１０を参照して説明する。ここで、図９は運用系カードの転送処理のフローチャートである。図１０は予備系カードへ転送する呼制御データ構造を説明する図である。
【００３５】
図９において、運用系カード３１０−１は、予め定めた時間が経過すると転送処理を開始し、転送キューから呼番号を取り出す（Ｓ９０１）。運用系カード３１０−１は、呼番号の転送種別がＣａｌｌか判定する（Ｓ９０２）。ＮＯのとき（Ｓｅｑｕｅｎｃｅのとき）、運用系カード３１０−１は、呼制御データのシーケンス番号領域を予備系カード３１０−２に転送する（Ｓ９０３）。運用系カード３１０−１は、転送キューの呼番号が終了したか判定し、ＮＯのときステップ９０１に戻り、ＹＥＳのとき終了する。ステップ９０２でＹＥＳのとき、運用系カード３１０−１は、呼制御データの全領域を予備系カード３１０−２に転送して（Ｓ９０５）、ステップ９０４に遷移する。
【００３６】
図１０において、ＡＴ６００−１、ＡＴ６００−２、ＡＴ６００−(ｍ−１)、ＡＴ６００−ｍが、それぞれ呼制御番号「３」、「６」、「１」、「５」として割当てられ、それぞれＡｃｔｉｖｅ要求、パケット受信、パケット送信、Ｄｏｒｍａｎｔ要求することとする。ＰＣＦ−ＳＣ３００は、障害が発生しても呼を継続できるように、待ちキュー３１３１に登録時に、呼制御データ３１５２を更新し、Ａｃｔｉｖｅ要求およびＤｏｒｍａｎｔ要求に対応する転送種別３１５３にＣａｌｌ、パケット受信およびパケット送信に対応する転送種別３１５３にＳｅｑｕｅｎｃｅと記録する。
【００３７】
一定時間経過し、予備系カード３１０−２への待ちキュー３１３１から呼制御番号を取り出すとき、ＰＣＦ−ＳＣ３００は、転送種別３１５３を参照する。制御番号「３」を取り出したとき、転送種別３１５３がＣａｌｌであるため、呼制御データ全体を転送する。一方、ＰＣＦ−ＳＣ３００は、呼制御番号「６」を取り出すとき、転送種別３１５３がＳｅｑｕｅｎｃｅであるため、呼制御データ３１５２のシーケンス番号領域を予備系カード３１０−２へ転送する。
【００３８】
本実施例に拠れば、呼制御テーブルに転送種別を追加することにより、転送するデータサイズを可変長に設定し、転送するデータを最小限に抑えることができる。
なお、呼制御テーブルにさらに全体コピーフラグコラムを設け、転送種別がＳｅｑｕｅｎｃｅのときでも、全体コピーフラグが”１”のとき、呼制御データ全体を予備系カードに転送し、転送後全体コピーフラグを”０”としてもよい。ここで、全体コピーフラグは、転送種別がＣａｌｌからＳｅｑｕｅｎｃｅに変わったとき、フラグを立てればよい。
【００３９】
図１１および図１２を参照して、予備系カードへ転送中でもコピーするサイズを変更可能で、かつ重複したデータを転送しない方法を説明する。ここで、図１１は１ｘＥＶＤＯシステムのシーケンス図である。図１２は予備系カードへ転送する呼制御データ構造を説明する図である。
【００４０】
図１１において、ＡＴ６００−１、ＡＴ６００−２、ＡＴ６００−(ｍ−１)、ＡＴ６００−ｍに、呼制御番号「３」、「６」、「１」、「５」として割当てられ、Ａｃｔｉｖｅ要求、パケット受信、パケット送信、Ｄｏｒｍａｎｔ要求することとする。この状態から、白抜き矢印に示すようにＡＴ６００−２とＡＰ４００とＰＣＦ−ＳＣ３００とＰＤＳＮ２００との間でコネクション切断処理（Ｓ２５０）が為されたとする。
【００４１】
図１２において、このとき既に、呼制御番号「６」は、呼制御データ３１５２のシーケンス番号をコピーするために、待ちキュー３１３１に登録済みのため、切断要求が発生しても変更することができない。
【００４２】
本実施例では、呼制御番号「６」の呼制御データ３１５２を更新後、呼制御番号「６」の転送種別３１５３を、ＳｅｑｕｅｎｃｅからＣａｌｌに変更する。この結果、呼制御データ全体を転送できる。
【００４３】
本実施例に拠れば、呼制御番号「６」を待ちキューから検索する時間を省くことができ、かつ、重複した呼制御番号「６」の呼制御データを登録することがなく予備系カードに転送することができる。
【００４４】
図１３および図１４を参照して、予備系カードに転送するデータ領域が包含または同じ場合、余分なデータを転送しない実施例を説明する。ここで、図１３は１ｘＥＶ−ＤＯシステムのシーケンス図である。図１４は予備系カードへ転送する呼制御データ構造を説明する図である。
【実施例２】
【００４５】
図１３において、ＡＴ６００−１、ＡＴ６００−２、ＡＴ６００−(ｍ−１)、ＡＴ６００−ｍに、呼制御番号「３」、「６」、「１」、「５」が割当てられ、それぞれＡｃｔｉｖｅ要求、パケット受信、パケット送信、Ｄｏｒｍａｎｔ要求することとする。白抜き矢印に示すように、この後、ＡＴ６００−１がパケットを受信し、ＡＴ６００−(ｍ−１)がパケットを送信し、ＡＴ６００−ｍが切断要求をした場合を想定する。
【００４６】
図１４において、呼制御番号「３」の呼制御データ３１５２は、パケットを受信したことによる変更領域を含んでいるため、転送種別はＣａｌｌのままとして、呼制御データを更新し、待ちキュー３１３１から呼制御番号「３」を削除後に再登録することなく、最新のデータを予備系カードに転送する。また、呼制御番号「１」と「５」は、変更領域が変わらないため、呼制御データ３１５２を更新するだけで、待ちキュー３１３１を削除後に再登録することなく、最新のデータを予備系カードに転送する。
上述した実施例に拠れば、通信制御装置の予備系カードへ転送するデータを最小限に抑えることができる。
【図面の簡単な説明】
【００４７】
【図１】移動機端末を用いる１ｘＥＶＤＯシステムのブロック図である。
【図２】移動電話システムの動作シーケンス図である。
【図３】複数のＡＴが接続している移動電話システムの動作シーケンス図である。
【図４】ＰＣＦ−ＳＣの機能ブロック図である。
【図５】予備系へのデータコピーを説明する図である。
【図６】受信パケットの呼制御データのフォーマットである。
【図７】予備系へのデータコピーを説明する図である。
【図８】運用系カードのフローチャートである。
【図９】運用系カードの転送処理のフローチャートである。
【図１０】予備系カードへ転送する呼制御データ構造を説明する図である。
【図１１】１ｘＥＶ−ＤＯシステムのシーケンス図である。
【図１２】予備系カードへ転送する呼制御データ構造を説明する図である。
【図１３】１ｘＥＶ−ＤＯシステムのシーケンス図である。
【図１４】予備系カードへ転送する呼制御データ構造を説明する図である。
【符号の説明】
【００４８】
１００…ＩＰネットワーク、２００…ＰＤＳＮ、３００…ＰＣＦ−ＳＣ、３１０…ＰＣＦ−ＳＣカード、３１１…メッセージ受信部、３１２…メッセージ送信部、３１３…転送送受信部、３１４…制御部、３１５…呼制御テーブル、４００…ＡＰ、５００…ＲＡＮ、６００…ＡＴ、８００…呼制御データ、８０１…シーケンス番号、８０２…非更新領域、１０００…１ｘＥＶ−ＤＯシステム、３１３１…待ちキュー、３１５１…呼制御番号、３１５２…呼制御データ、３１５３…転送種別。
【図１】
0005074217.tif 000002
【図２】
0005074217.tif 000003
【図３】
0005074217.tif 000004
【図４】
0005074217.tif 000005
【図５】
0005074217.tif 000006
【図６】
0005074217.tif 000007
【図７】
0005074217.tif 000008
【図８】
0005074217.tif 000009
【図９】
0005074217.tif 000010
【図１０】
0005074217.tif 000011
【図１１】
0005074217.tif 000012
【図１２】
0005074217.tif 000013
【図１３】
0005074217.tif 000014
【図１４】
0005074217.tif 000015